(57)【要約】【課題】  テーブルやデスク等の家具の天板を支持するための脚装置において、それ自体で天板を支持するために十分の強度を備えた脚フレームに脚カバーを着脱可能とし、該脚カバーを用途や外観性を重視して選択的に取付けることが可能であるとともに、脚フレーム内の空間を積極的に利用できるようになした家具の脚装置を提供する。【解決手段】  テーブルやデスク等の家具において天板を支持するための脚装置であって、内部が中空の四角形の脚フレームの上端部に前記天板を連結し、該脚フレームの下端部を接地して前記天板を支持するとともに、該脚フレーム６の内外両面側又は内外片面側に脚カバー７を着脱可能に取付けてなる。【選択図】        図９
2006238994.tif 000002
【特許請求の範囲】
【請求項１】
テーブルやデスク等の家具において天板を支持するための脚装置であって、内部が中空の四角形の脚フレームの上端部に前記天板を連結し、該脚フレームの下端部を接地して前記天板を支持するとともに、該脚フレームの内外両面側又は内外片面側に脚カバーを着脱可能に取付けてなることを特徴とする家具の脚装置。
【請求項２】
前記脚フレームは、外周枠部と内周枠部とを有し、外周枠部は内周枠部よりも側方へ突出し、前記脚カバーを内周枠部に嵌着した状態で、該脚カバーの外面が前記外周枠部と略面一になるように設定した請求項１記載の家具の脚装置。
【請求項３】
前記脚フレームは、前記外周枠部と内周枠部とを連結部で一体連設し、該連結部は前記内周枠部よりも内側方へ後退した外面を備え、前記脚カバーの外周部は前記連結部の外面と前記外周枠部の内縁との間に間隔を設けて取付けられている請求項１又は２記載の家具の脚装置。
【請求項４】
前記内周枠部の外周面側に係合溝を形成し、前記脚カバーの裏面上縁部に形成したフックを、前記脚フレームの上部の内周枠部に形成した前記係合溝に係止するとともに、該脚カバーの裏面下縁部又は下縁部と両側縁部又は両側縁部に突設した弾性係合爪を、前記脚フレームの下部又は両側部の内周枠部に形成した前記係合溝に嵌着してなる請求項１〜３何れかに記載の家具の脚装置。
【請求項５】
前記内周枠部の外周面側に係合溝を形成し、少なくとも前記脚カバーの裏面上下縁部又は上縁部と両側縁部に突設した弾性係合爪を、前記脚フレームの上下部の内周枠部に形成した前記係合溝に嵌着してなる請求項１〜３何れかに記載の家具の脚装置。
【発明の詳細な説明】
【技術分野】
【０００１】
本発明は、家具の脚装置に係わり、更に詳しくはテーブルやデスク等の家具において天板を支持するための脚装置に関するものである。
【背景技術】
【０００２】
特許文献１には、机等の少なくとも一側部に配設され、天板を支持する机等の側脚部の構造であって、前後方向を向く下方の水平脚杆の後部と、前後方向を向く水平な上方のアームの後部とを、その間に、前後１対の中間支柱を挾んでボルト締めすることにより、方形の脚枠を形成し、該脚枠の内面に形成した嵌合溝内に、化粧板の縁部を嵌設する構造が開示され、更に脚枠の内面に２条の嵌合溝を形成し、該嵌合溝に左右方向に離間する１対の化粧板をそれぞれ嵌設する点も開示されている。
【０００３】
また、特許文献２には、両縦杆の上端間に横杆を固着して内部を空間となした脚フレームの上下端に天板支持部材と接地部材を取付け、脚フレームの外側であって天板支持部材と接地部材との間に外側化粧板を固定するとともに、脚フレームの内側であって天板支持部材と接地部材との間に上下部に前記脚フレームの内部空間と連通するようにコード挿通用開口を設けた内側化粧板を着脱自在に取付けた脚構造が開示されている。
【０００４】
しかし、特許文献１では、水平脚杆とアーム間に中間支柱を連結する組立時に、脚枠の内周面に形成された方形環状溝に化粧板を組み込む必要があり、内側の化粧板は短寸として昇降可能としているが、化粧板の着脱は不可能である。また、特許文献２では、内側化粧板を着脱自在であるが、外側化粧板は脚フレームに固定されており、化粧板が存在しない内外開放した脚フレームのみの使用を前提としていない。
【０００５】
尚、特許文献３には、組み立て机において、天板を支持する脚部をフレームで構成し、該脚部フレーム内に多数の小孔が穿孔されたパンチングボードを取付け可能となした構造が開示されているが、パンチングボードの具体的な取付構造については開示されてない。
【特許文献１】実公平７−９８３号公報
【特許文献２】特許３５６４９７８号公報
【特許文献３】特許２９３４７５０号公報
【発明の開示】
【発明が解決しようとする課題】
【０００６】
そこで、本発明が前述の状況に鑑み、解決しようとするところは、テーブルやデスク等の家具の天板を支持するための脚装置において、それ自体で天板を支持するために十分の強度を備えた脚フレームに脚カバーを着脱可能とし、該脚カバーを用途や外観性を重視して選択的に取付けることが可能であるとともに、脚フレーム内の空間を積極的に利用できるようになした家具の脚装置を提供する点にある。
【課題を解決するための手段】
【０００７】
本発明は、前述の課題解決のために、テーブルやデスク等の家具において天板を支持するための脚装置であって、内部が中空の四角形の脚フレームの上端部に前記天板を連結し、該脚フレームの下端部を接地して前記天板を支持するとともに、該脚フレームの内外両面側又は内外片面側に脚カバーを着脱可能に取付けてなる家具の脚装置を構成した（請求項１）。
【０００８】
ここで、前記脚フレームは、外周枠部と内周枠部とを有し、外周枠部は内周枠部よりも側方へ突出し、前記脚カバーを内周枠部に嵌着した状態で、該脚カバーの外面が前記外周枠部と略面一になるように設定した（請求項２）。
【０００９】
また、前記脚フレームは、前記外周枠部と内周枠部とを連結部で一体連設し、該連結部は前記内周枠部よりも内側方へ後退した外面を備え、前記脚カバーの外周部は前記連結部の外面と前記外周枠部の内縁との間に間隔を設けて取付けられていることが好ましい（請求項３）。
【００１０】
そして、前記内周枠部の外周面側に係合溝を形成し、前記脚カバーの裏面上縁部に形成したフックを、前記脚フレームの上部の内周枠部に形成した前記係合溝に係止するとともに、該脚カバーの裏面下縁部又は下縁部と両側縁部又は両側縁部に突設した弾性係合爪を、前記脚フレームの下部又は両側部の内周枠部に形成した前記係合溝に嵌着してなることがより好ましい（請求項４）。
【００１１】
また、前記内周枠部の外周面側に係合溝を形成し、少なくとも前記脚カバーの裏面上下縁部又は上縁部と両側縁部に突設した弾性係合爪を、前記脚フレームの上下部の内周枠部に形成した前記係合溝に嵌着してなることも好ましい（請求項５）。
【発明の効果】
【００１２】
以上にしてなる請求項１に係る発明の家具の脚装置は、内部が中空の四角形の脚フレームの上端部に前記天板を連結するとともに、脚フレームの下端部を接地して前記天板を支持する構造であるので、脚カバーとは無関係に天板を支持することができ、そして脚カバーは脚フレームを天板に連結した後であっても該脚フレームに対して着脱することができ、更に脚カバーは用途や外観性に応じて選択して脚フレームの内外両面側又は内外片面側に取付けて使用することができ、特に脚フレームの内外両面側に取付けた場合には脚フレームの内部に空間が形成されるので、該空間に配線コードの余剰部分を収容したり、配線コードを床面から立ち上げて配線する縦ダクトとして利用したり、内外の一方の脚カバーを透明又は半透明とすることによって内部空間に鑑賞用の花等を置くこともできるのである。
【００１３】
請求項２によれば、脚フレームに脚カバーを外観的に一体感を持たせて取付けることができ、また脚カバーが脚フレームから大きく突出して邪魔になることもないのである。
【００１４】
請求項３によれば、脚カバーの外周部と脚フレームの外周枠部との間に間隔を設けているので、該外周枠部がより強調され、脚カバーを取付けても、脚フレームの重厚で安定感のある外観を損なうことがなく、また脚カバーの外周部と連結部の外面との間に間隔を設けているので、脚フレームの外周枠部の彫りを深くし、外観的により一層外周枠部を強調することができるのである。
【００１５】
請求項４によれば、脚カバーの裏面上縁部に形成したフックを、脚フレームの上部の内周枠部に形成した係合溝に係止するとともに、該脚カバーの裏面下縁部又は下縁部と両側縁部に突設した弾性係合爪を、脚フレームの下部又は両側部の内周枠部に形成した係合溝に嵌着するので、脚カバーを脚フレームに簡単に取付けることができ、しかも上部をフックで係止する構造であるので、取付状態が安定である。
【００１６】
請求項５によれば、少なくとも脚カバーの裏面上下縁部に突設した弾性係合爪を、脚フレームの上下部の内周枠部に形成した係合溝に嵌着するので、脚カバーを脚フレームに簡単に取付けることができ、しかも弾性係合爪の構造を同じにすることができ、特に弾性係合爪を有する係合部材を脚カバーに接着する場合には部品の共通化が図れ、コスト低減化に寄与し、更に脚カバーも金属製、合成樹脂製や木製の区別がなく使用することができるのである。
【発明を実施するための最良の形態】
【００１７】
次に、添付図面に示した実施形態に基づき、本発明を更に詳細に説明する。図１は本発明に係る家具の脚装置を適用したテーブルを示し、図２〜図６はその詳細を示し、図中符号１は天板、２は脚部、３は連結フレーム、４は支持ビーム、５はケーブル受板をそれぞれ示している。
【００１８】
本実施形態に係るテーブルは、図１に示すように、天板１の下面両側を脚部２，２で支持し、該脚部２は脚フレーム６と該脚フレーム６に着脱可能に取付ける脚カバー７とにより構成されている。更に詳しくは、図２〜図６に示すように、前記脚部２，２を間隔を置いて配置し、各脚部２，２を構成する脚フレーム６，６の上部間に平面視長四角形の連結フレーム３を連結するとともに、両脚フレーム６，６の上面の前後部に支持ビーム４，４を渡設して剛構造体を形成し、前記支持ビーム４，４の上面に前記天板１を載置してネジ止め等の締結手段にて連結するとともに、前記連結フレーム３の一対の連結杆８，８から立ち上げた複数の支持金具９，…を前記天板１の下面にネジ止め等の締結手段にて連結している。
ここで、各脚部２，２間に連結フレーム３と支持ビーム４，４を渡設したので、支持ビーム４，４だけを各脚部２，２間に渡設した場合と比べて強度が格段に増し、テーブルの側方から加わる荷重に対し、横揺れを軽減する効果がある。また、連結フレーム３の連結杆８，８から複数の支持金具９，…を立ち上げて、該支持金具９，…を天板１の下面に連結して該天板１を支持することにより、更に天板１に対する支持強度が増すのである。
【００１９】
また、前記天板１は、図１に示すように、略中央部に上下貫通した横長の開口部１０を単又は複数形成するとともに、該開口部１０内に相対向する長辺側両開口縁との間に挿通孔１１，１１を設けて配線カバー体１２を着脱可能に装着し、該開口部１０の下方に平面視形状において該開口部１０の寸法より大きく且つ前記天板１の寸法より小さい前記ケーブル受板５を前記天板１下面との間に間隔を置いて横設する。ここで、図５及び図６に示すように、前記ケーブル受板５は、前後両側に形成した係止部１３，１３を前記連結フレーム３の連結杆８，８に上方から係合するとともに、該ケーブル受板５の本体部を両連結杆８，８の間に嵌合して保持する。このケーブル受板５を連結フレーム３に装着することによって、該連結フレーム３の剛性を更に高めることができるのである。
【００２０】
前記連結フレーム３は、間隔をおいて平行に配した前記連結杆８，８の両端に連結板１４，１４を固着した平面視長四角形のフレーム構造を有し、該連結板１４を前記脚フレーム６の上部内側面の中央部にネジ１５，…で連結する。前記ケーブル受板５の係止部１３，１３は、前記連結フレーム３の連結杆８，８に係合させるとともに、両面粘着テープによって固定している。尚、両面粘着テープによって固定構造の他には、前記係止部１３，１３を前記連結杆８，８にネジ止めする構造、あるいは単に嵌合のみによる保持でも良い。そして、前記支持ビーム４，４は、前記連結フレーム３の連結杆８，８よりも外側の位置で前記前記脚フレーム６の上面にボルト１６，…にて強固に連結している。
【００２１】
そして、本発明の脚装置は、内部が中空の四角形の脚フレーム６の上端部に前記天板１を連結し、該脚フレーム６の下端部を接地して前記天板１を支持するとともに、該脚フレームの内外両面側又は内外片面側に脚カバー７を着脱可能に取付けてなるものである。
【００２２】
更に詳しくは、図７〜図１０に示すように、前記脚フレーム６は、前記外周枠部１７と内周枠部１８とを連結部１９で一体連設し、前記外周枠部１７は内周枠部１８よりも側方へ突出するとともに、前記連結部１９は前記内周枠部１８よりも内側方へ後退した外面を備え、更に前記内周枠部１８の外周面側に係合溝２０を形成したものである。
【００２３】
具体的には、前記脚フレーム６は、アルミニウム製の型材からなる縦杆２１と横杆２２の各２本と４個のコーナー金具２３，…を用い、両側に立起させた両縦杆２１，２１の上下端にそれぞれコーナー金具２３，２３にて横杆２２を連結し、側面視四角形の形状となしたものである。前記縦杆２１と横杆２２は、前記外周枠部１７と連結部１９に対応する部分が中空となっており、前記コーナー金具２３の縦連結部２４と横連結部２５がそれぞれ嵌入できるようになっている。また、前記縦杆２１と横杆２２の連結部分は約４５度の角度に切断し、切断面に前記コーナー金具２３の鍔部２６が介在するように嵌合し、該コーナー金具２３の縦連結部２４を縦枠２１の内部に形成した連結穴２７，２７にボルト２８，２８にて上下から締結するとともに、該コーナー金具２３の横連結部２５の螺孔２９，…に横杆２２の上下から挿通したボルト３０，…を螺合している。
【００２４】
そして、図９及び図１０に示すように、前記脚カバー７を前記脚フレーム６の内周枠部１８に嵌着した状態で、該脚カバー７の外面が前記外周枠部１７と略面一になるように設定した。図例した脚カバー７は、スチール板で周囲をハゼ折りして構成したものであるので、最大板厚がスチール板の約２倍と薄いので、該脚カバー７の外面は前記外周枠部１７の端縁よりも若干内側方に奥まった位置になっている。更に、前記脚カバー７の外周部は、前記脚フレーム６の前記連結部１９の外面と前記外周枠部１７の内縁との間に間隔を設けて取付けられている。
【００２５】
具体的には、第１実施形態の脚カバー７は、図９〜図１１に示すように、スチール板からなる表面板３１の周囲を裏面側にハゼ折りして補強縁３２を形成するとともに、表面板３１の裏面で該補強縁３２の内方にスチール板からなる裏面板３３を重合し、該裏面板３３の上縁に下向きのフック３４を折曲形成し、更に該脚カバー７の裏面下縁部及び両側縁部に合成樹脂製の係合部材３５を接着することにより、該係合部材３５に一体形成した弾性係合爪３６を突設している。そして、前記脚カバー７の裏面上縁部に形成したフック３４を、前記脚フレーム６の上部の内周枠部１８に形成した前記係合溝２０に係止するとともに、該脚カバー７の裏面下縁部及び両側縁部に突設した弾性係合爪３６，…を、前記脚フレーム６の下部及び両側部の内周枠部１８に形成した前記係合溝２０に嵌着するのである。
【００２６】
ここで、前記係合部材３５は、前記脚カバー７の裏面に両面粘着テープ等で接着するための接合片３７の一側端縁に断面略ヘ字形に曲がったガイド片３８を突設するとともに、該ガイド片３８と間隔を置いて前記係合爪３６を突設した形状のもので、合成樹脂製の押出し成形品である。ここで、前記係合部材３５の係合爪３６とガイド片３８とで前記脚フレーム６の内周枠部１８を挟持するように嵌合するのである。
【００２７】
尚、前記係合部材３５は、少なくとも前記脚カバー７の下縁部のみに設ければ、上縁部のフック３４と下縁部の弾性係合爪３６とで、該脚カバー７を前記脚フレーム６の上下の横杆２２，２２に着脱可能に取付けることは可能である。但し、この場合には、前記脚カバー７の横方向位置決めのために、該脚カバー７の裏面両側部には縦杆２１，２１の内周枠部１８に当接する突起を設けるとともに、前記係合部材３５の接合片３７の板厚に相当するスペーサーを所定位置に設けることが好ましいが、位置決めに対する要請が小さければ突起を設けない場合もある。更に、前記脚カバー７の両側縁部のみに前記係合部材３５，３５を取付けて、両側縁部のみに弾性係合爪３６，３６を突設することも可能である。勿論、前記係合爪３６とガイド片３８を併設して、その間に前記内周枠部１８を挟持することがより確実に保持できるのである。
【００２８】
前記脚カバー７は、図１及び図９に示すように、前記脚フレーム６の外側片面側にのみ取付ける他に、図１２（ａ）に示すように、前記脚フレーム６の内外両面側に取付けること、あるいは図１２（ｂ）に示すように、前記脚フレーム６の内側片面側にのみ取付けることも可能である。本発明における前記脚フレーム６は、脚カバー７を取付けなくてもそれ自体で意匠的には完結した形状となっているが、前述のように脚カバー７を取付けることによって外観性に変化を持たせている。尚、前記脚フレーム６の下側横杆２２の両端部には、前記コーナー金具２３をアジャスター受けとしてアジャスター３９を設けている。
【００２９】
図１３は、脚カバー７の第２実施形態を示し、本実施形態の脚カバー７は、第１実施形態のように裏面板３３を設けず、表面板３１をパンチングメタルで構成し、裏面上縁部に前記同様なフック３４を有する係止金具４０，４０を左右両側部に固着するとともに、裏面の下縁部と両側縁部とに前記同様な係合部材３５，…を接着したものである。この場合も、前記係合部材３５は、少なくとも前記脚カバー７の下縁部のみに設ければ、上縁部のフック３４と下縁部の弾性係合爪３６とで、該脚カバー７を前記脚フレーム６の上下の横杆２２，２２に着脱可能に取付けることは可能である。そして、前記脚カバー７の横方向位置決めのために、該脚カバー７の裏面両側部には縦杆２１，２１の内周枠部１８に当接する突起を設けるとともに、前記係合部材３５の接合片３７の板厚に相当するスペーサーを所定位置に設けることが好ましいが、位置決めに対する要請が小さければ突起を設けない場合もある。
【００３０】
図１４は、脚カバー７の第３実施形態を示し、本実施形態の脚カバー７は、第２実施形態の脚カバー７の表面板３１の上下部の左右中央部に配線コードを挿通するための切欠部４１，４１を設けたものであり、下方の切欠部４１を逃すように、下縁部の係合部材３５は分割したものを貼着している。その他は、第２実施形態と同様である。この切欠部４１を有する脚カバー７は、主に前記脚フレーム６の内側に取付け、外側に取付けた他の脚カバー７との間に形成された空間部に、前記切欠部４１を通して配線コードの余剰部分を収納し、あるいは上下の切欠部４１，４１と空間部を通して床面から前記ケーブル受板５及び天板１の開口部１０に配線するための縦ダクトとして利用することができる。
【００３１】
また、図１５は、脚カバー７の第４実施形態を示し、本実施形態の脚カバー７は、木製の突板からなる表面板３１の裏面の上下縁部及び両側縁部に前記同様な係合部材３５，…を貼着したものである。そして、前記脚カバー７の裏面上下縁部に突設した弾性係合爪３６，３６を、前記脚フレーム７の上下部の内周枠部１８，１８に形成した前記係合溝２０，２０に嵌着するのである。この場合も、第１実施形態と同様に、脚カバー７の裏面上下縁部のみに前記係合部材３５，３５を設ければ足りるのである。ここで、本実施形態の脚カバー７の場合には、表面板３１を突板としたので板厚が厚くなるが、前記脚フレーム６に取付けた状態では、脚カバー７の外面が前記脚フレーム６の外周枠部１７と略面一になるように設定している。更に、前記脚カバー７の裏面の下縁部と両側縁部のみに係合部材３５，…を設けることも可能である。
【図面の簡単な説明】
【００３２】
【図１】本発明の家具の脚装置を採用したテーブルの実施形態を示す斜視図である。
【図２】脚部と連結フレームとの関係を示す分解斜視図である。
【図３】同じく脚部と連結フレームとの関係を示す拡大分解斜視図である。
【図４】脚部と支持ビームとの関係を示す分解斜視図である。
【図５】連結フレームとケーブル受板との関係を示す分解斜視図である。
【図６】脚部で天板を支持した状態の簡略断面図である。
【図７】脚フレームの側面図である。
【図８】同じく脚フレームの部分拡大縦断面図である。
【図９】脚フレームに第１実施形態の脚カバーを取付けた状態の縦断面図である。
【図１０】脚フレームに脚カバーを取付けた状態の横断面図である。
【図１１】脚カバーの部分省略斜視図である。
【図１２】脚フレームに脚カバーを取付ける他の態様を示し、（ａ）は脚フレームの内外両面側に脚カバーを取付けた状態の縦断面図、（ｂ）は脚フレームの内側のみに脚カバーを取付けた状態の縦断面図である。
【図１３】脚カバーの第２実施形態を示し、（ａ）は脚カバーの背面図、（ｂ）は拡大縦断面図である。
【図１４】脚カバーの第３実施形態を示し、（ａ）は脚カバーの背面図、（ｂ）は拡大縦断面図である。
【図１５】脚カバーの第４実施形態を示し、（ａ）は脚カバーの背面図、（ｂ）は拡大縦断面図である。
【符号の説明】
【００３３】
１  天板              ２  脚部
３  連結フレーム      ４  支持ビーム
５  ケーブル受板      ６  脚フレーム
７  脚カバー          ８  連結杆
９  支持金具          １０  開口部
１１  挿通孔          １２  配線カバー体
１３  係止部          １４  連結板
１５  ネジ            １６  ボルト
１７  外周枠部        １８  内周枠部
１９  連結部          ２０  係合溝
２１  縦杆            ２２  横杆
２３  コーナー金具    ２４  縦連結部
２５  横連結部        ２６  鍔部
２７  連結穴          ２８  ボルト
２９  螺孔            ３０  ボルト
３１  表面板          ３２  補強縁
３３  裏面板          ３４  フック
３５  係合部材        ３６  係合爪
３７  接合片          ３８  ガイド片
３９  アジャスター    ４０  係止金具
４１  切欠部
【図１】
2006238994.tif 000003
【図２】
2006238994.tif 000004
【図３】
2006238994.tif 000005
【図４】
2006238994.tif 000006
【図５】
2006238994.tif 000007
【図６】
2006238994.tif 000008
【図７】
2006238994.tif 000009
【図８】
2006238994.tif 000010
【図９】
2006238994.tif 000011
【図１０】
2006238994.tif 000012
【図１１】
2006238994.tif 000013
【図１２】
2006238994.tif 000014
【図１３】
2006238994.tif 000015
【図１４】
2006238994.tif 000016
【図１５】
2006238994.tif 000017